(57)【要約】【課題】ラチェット部の方向転換の方法操作が簡単な快速切換の工具構造を提供する。【解決手段】  可動ヘッド及び制御装置から構成され、その可動ヘッドにはラチェット部１２が設置される快速切換の工具構造において、制御装置は、制御桿２１が設置され、その制御桿２１には駆動塊２２が設置され、その駆動塊２２は係止ユニット２３と連動し、係止ユニット２３はラチェット部１２と噛み合うもので、制御桿２１を押圧すると、制御桿２１が駆動塊２２を動かして回転し、係止ユニット２３は駆動塊２２の動きに従って偏移動し、可動ユニットの復位方向を切り換えることを特徴とする快速切換の工具構造。【選択図】図１
0003129280.tif 000002
【実用新案登録請求の範囲】
【請求項１】
可動ヘッド及び制御装置から構成され、その可動ヘッドにはラチェット部が設置される快速切換の工具構造において、
制御装置は、制御桿が設置され、その制御桿には駆動塊が設置され、その駆動塊は係止ユニットと連動し、係止ユニットはラチェット部と噛み合うもので、
制御桿を押圧すると、制御桿が駆動塊を動かして回転し、係止ユニットは駆動塊の動きに従って偏移動し、可動ユニットの復位方向を切り換えることを特徴とする快速切換の工具構造。
【請求項２】
前記係止ユニットは、二つの係止歯を含み、それらの係止歯は可動ヘッド上に枢設し、駆動塊の外端には嵌入口を設置し、その嵌入口が各々係止歯の位置を制御することを特徴とする請求項１記載の快速切換の工具構造。
【請求項３】
前記係止歯と可動ヘッドは、その間に弾性部品を設置し、その弾性部品が係止歯を駆動塊の嵌入口へ対応させると、ラチェット部が噛み合う位置まで偏移動することを特徴とする請求項２記載の快速切換の工具構造。
【請求項４】
前記可動ヘッドは台座部を具え、その台座部ラチェットと嵌合し、台座部上にはヘッド端が設置され、そのヘッド端には定位体が設置され、また制御桿上には定位体と連動する駆動区が設置され、且つ定位体は球体で、駆動区は階段式凹槽であることを特徴とする請求項１記載の快速切換の工具構造。
【請求項５】
可動ヘッド及び制御装置から構成され、その可動ヘッドにはラチェット部が設置される快速切換の工具構造において、そのうち、
制御装置は、制御桿を設置し、その制御桿上には駆動塊を設置し、その駆動塊は係止ユニットと連動し、係止ユニットは二つの係止歯を含み、その係止歯は可動ヘッド上に枢設し、ラチェット部と噛み合うもので、駆動塊の外端には押止条を設置し、その押止条は各係止歯の位置を制御し、
これらによって、制御桿を押した時、制御桿が駆動塊を動かして回転させ、係止ユニットが駆動塊の動きに従って偏移動し、可動ヘッドの復位方向を切り換えることを特徴とする快速切換の工具構造。
【請求項６】
前記係止歯と可動ヘッドは、その間に弾性部品を設置し、その弾性部品が係止歯を駆動塊の押止条に対応させた時、ラチェット部を外す位置まで偏移動することを特徴とする請求項５記載の快速切換の工具構造。
【請求項７】
前記可動ヘッドは、台座部を具え、その台座部はラチェット部と嵌合し、且つラチェット部の内部には可動口を設置することを特徴とする請求項５記載の快速切換の工具構造。
【請求項８】
前記制御桿は、連動体を設置し、駆動塊の内径には傾斜円弧槽を設置し、駆動塊は制御桿上に嵌め、連動体は傾斜円弧槽内に嵌入することにより、制御桿を押し、連動体が傾斜円弧槽から駆動塊を動かして回転させることを特徴とする請求項１もしくは５記載の快速切換の工具構造。
【請求項９】
前記駆動塊は、二つの対称に設置された傾斜円弧槽を具え、二つの傾斜円弧槽の前後段は直槽で貫通して連通することを特徴とする請求項８記載の快速切換の工具構造。
【請求項１０】
前記直槽は、逆止め塊を設置し、その逆止め塊の一端は傾斜円弧槽に対応する第一斜面とし、別一端は直槽に対応する第二斜面とすることを特徴とする請求項９記載の快速切換の工具構造。
【考案の詳細な説明】
【技術分野】
【０００１】
本考案は、快速切換の工具構造に関するもので、特にラチェット部の方向転換の方法操作が簡単な工具である。
【背景技術】
【０００２】
ラチェットスパナは、可動ヘッド内でラチェット部と停止ユニットの噛み合わせを利用し、異なる方向の復位を発生させるスパナの通称である。復位設計によって、使用者はスピーディに次の動作を行える。また反対の方向へ動かしたい時には切換スイッチでラチェット部の復位方向を変更する。
【０００３】
下記の特許文献１「ラチェットスパナの構造」は、主に可動ヘッドの一端に切換スイッチが設置され、この切換スイッチは左右に調整できる。その切換スイッチの回転位置によって可動ヘッドのラチェット部の復位方向を調整する。
【０００４】
しかしながら、公知のこの種の切換スイッチの設置方式は、大きな空間を必要とし、切換スイッチを左右に動かしてラチェット部の復位方向を調整するのであるが、切換スイッチを設置した可動ヘッドは全体の面積が増加し、可動ヘッドが動かしにくくなる。
【０００５】
更に上述の公知構造は、スリーブを設置したラチェット部スリーブスパナであるため、可動ヘッド上には別に取外しスイッチが設置される。その取外しスイッチは押圧式を採用しており、取外しスイッチが押されると、可動ヘッドの前端の定位鋼鉄球が内縮してスリーブを取り外すことができる。
【特許文献１】台湾  特許申請第９４２１３３９４号「ラチェットスパナの構造」
【考案の開示】
【考案が解決しようとする課題】
【０００６】
解決しようとする問題点は、可動ヘッド上には二種のスイッチが設置されており、ひとつは切換スイッチでラチェット部の復位方向を変更し、もうひとつは取外しスイッチでスリーブを取り外す。この二つのスイッチの位置は異なり、操作方法もまた異なるため、使用者が操作する時にはどのように操作するか判断しなければならず、更に二種の動作を同時に一回の操作では行えないため、不便である。更に二個の独立したスイッチを設置した構造は複雑で部品の数も多くなり、組立、製造は更に面倒になる点である。
【課題を解決するための手段】
【０００７】
本考案は、主に可動ヘッド及び制御装置を含む。そのうち可動ヘッド内にラチェット部及び台座を設置し、台座部上にスリーブを設置したヘッド端を設置し、ヘッド端にスリーブを固定するための定位体を設置する。制御装置は制御桿を設置し、その制御桿には駆動区を設置してヘッド端まで伸び、定位体と連動する。制御桿上には駆動塊を設置し、且つ制御桿上に連動体を設置する。この駆動塊の内径には傾斜円弧槽を設置して連動体を嵌入する。また駆動塊は係止ユニットと連動し、その係止ユニットはラチェットと噛み合う。制御桿を押すと、連動体が円弧傾斜槽によって駆動塊を回転させ、駆動塊は係止ユニットを偏移動させる。同時に定位体を内縮させ、可動ヘッドを切り換えて復位方向を変更したり、スリーブを取外したりすることを最も主要な特徴とする。
【０００８】
すなわち、本考案の快速切換の工具構造は、可動ヘッド及び制御装置から構成され、その可動ヘッドにはラチェット部が設置される快速切換の工具構造において、
制御装置は、制御桿が設置され、その制御桿には駆動塊が設置され、その駆動塊は係止ユニットと連動し、係止ユニットはラチェット部と噛み合うもので、
制御桿を押圧すると、制御桿が駆動塊を動かして回転し、係止ユニットは駆動塊の動きに従って偏移動し、可動ユニットの復位方向を切り換えることを特徴とする。
【０００９】
前記係止ユニットは、二つの係止歯を含み、それらの係止歯は可動ヘッド上に枢設し、駆動塊の外端には嵌入口を設置し、その嵌入口が各々係止歯の位置を制御することを特徴とする。
【００１０】
前記係止歯と可動ヘッドは、その間に弾性部品を設置し、その弾性部品が係止歯を駆動塊の嵌入口へ対応させると、ラチェット部が噛み合う位置まで偏移動することを特徴とする。
【００１１】
前記可動ヘッドは台座部を具え、その台座部ラチェットと嵌合し、台座部上にはヘッド端が設置され、そのヘッド端には定位体が設置され、また制御桿上には定位体と連動する駆動区が設置され、且つ定位体は球体で、駆動区は階段式凹槽であることを特徴とする。
【００１２】
また本考案の快速切換の工具構造は、請求項５に記載するように可動ヘッド及び制御装置から構成され、その可動ヘッドにはラチェット部が設置される快速切換の工具構造において、そのうち、
制御装置は、制御桿を設置し、その制御桿上には駆動塊を設置し、その駆動塊は係止ユニットと連動し、係止ユニットは二つの係止歯を含み、その係止歯は可動ヘッド上に枢設し、ラチェット部と噛み合うもので、駆動塊の外端には押止条を設置し、その押止条は各係止歯の位置を制御し、
これらによって、制御桿を押した時、制御桿が駆動塊を動かして回転させ、係止ユニットが駆動塊の動きに従って偏移動し、可動ヘッドの復位方向を切り換えることを特徴とする。
【００１３】
前記係止歯と可動ヘッドは、その間に弾性部品を設置し、その弾性部品が係止歯を駆動塊の押止条に対応させた時、ラチェット部を外す位置まで偏移動することを特徴とする。
【００１４】
前記可動ヘッドは、台座部を具え、その台座部はラチェット部と嵌合し、且つラチェット部の内部には可動口を設置することを特徴とする。
【００１５】
前記制御桿は、連動体を設置し、駆動塊の内径には傾斜円弧槽を設置し、駆動塊は制御桿上に嵌め、連動体は傾斜円弧槽内に嵌入することにより、制御桿を押し、連動体が傾斜円弧槽から駆動塊を動かして回転させることを特徴とする。
【００１６】
前記駆動塊は、二つの対称に設置された傾斜円弧槽を具え、二つの傾斜円弧槽の前後段は直槽で貫通して連通することを特徴とする。
【００１７】
前記直槽は、逆止め塊を設置し、その逆止め塊の一端は傾斜円弧槽に対応する第一斜面とし、別一端は直槽に対応する第二斜面とすることを特徴とする。
【考案の効果】
【００１８】
本考案の快速切換の工具構造は、操作が簡単で可動ヘッドに占める面積が減り、可動ヘッドの大きさを小さくするので、使用しやすくなる。また制御装置は二重の制御効果を具え、公知の切換スイッチ及び取出しスイッチを設置しなければならない面倒と、可動ヘッドに占める空間を減らし、部品が簡素化することによって故障の発生を減らし、コストを下げるという利点がある。
【考案を実施するための最良の形態】
【００１９】
快速切換の工具構造を提供することにより、公知のラチェットスパナ切換スイッチの横向プッシュ式が大きな操作空間を必要とし、可動ヘッドが機能的でなく、更にラチェットスリーブスパナには二種のスイッチがそれぞれの復位切換、スリーブ取外しの動作を必要とし、使用しにくい問題を改善することを本考案の主な目的とする。
【００２０】
前述の目的のため、本考案は、可動ヘッド及び制御装置を含む。その可動ヘッド内部にはラチェット部と台座部を含み、その台座部上にスリーブを設置するヘッド端を設置し、そのヘッド端にはスリーブを固定する定位体を設置する。制御装置は制御桿を設置し、その制御桿には駆動区を設置してヘッド端へ伸びて定位体と連動する。この制御桿上に駆動塊を設置し、且つ制御桿上に連動体を設置する。駆動塊の内径には傾斜円弧槽を設置して連動体を嵌入し、その駆動塊は係止ユニットと連動し、係止ユニットはラチェット部と噛み合う。これらによって制御桿を押圧し、連動体の傾斜円弧槽から駆動塊を動かして回転し、駆動塊は係止ユニットを駆動塊に移動させ、同時に定位体を内縮させ、可動ヘッドの復位方向を切り換えるか、もしくはスリーブの取外しを行う。
【００２１】
本考案はプッシュ式でラチェット部の復位方向を調整するもので、制御桿を押すだけで駆動塊が１８０度回転し、異なる側の係止ユニットの係止歯を押し、ラチェット部を異なる方向に噛み合わせて固定するので、操作が簡単で可動ヘッドに占める面積が減り、可動ヘッドの大きさを小さくするので、使用しやすい。
【００２２】
制御桿を押すと同時に、定位体が内縮するので、ヘッド端に設置したスリーブを外しやすくする。これによって制御装置は二重の制御効果を具え、公知の切換スイッチ及び取出しスイッチを設置しなければならない面倒と、可動ヘッドに占める空間を減らし、部品が簡素化することによって故障の発生を減らし、コストを下げることを本考案の次の目的とする。
【００２３】
（第一実施例）
本考案は、快速切換の工具構造で、第１図から第４図に示すとおり、主に可動ヘッド及び制御装置を含む。本考案の説明のため、本実施例では、可動ヘッドはラチェットスリーブスパナとして説明する。
【００２４】
可動ヘッドは、台座部１１、ラチェット部１２及び外蓋１３を含む。
【００２５】
この台座部１１は、ラチェット部１２に嵌入し、制御装置に設置する。この台座部１１中央にはメインスペース１１１、メインスペース１１１外側のエンドスペース１１２二つを具える。このエンドスペース１１２の一部はメインスペース１１１と相互に連通しており、メインスペース１１１底部には回転を助ける球体１１３が数個埋設される。またこの二つのエンドスペース１１２には各々枢設槽１１４が設置され、台座部１１底側にはヘッド端１１５が設置される。そのヘッド端１１５には鋼鉄珠を設置して定位体１１６とする。またメインスペース１１１底部  には穿設槽１１７を設置してヘッド端１１５の定位体１１６箇所へ通じる。
【００２６】
このラチェット部１２は歯を環状に設置したもので、Ｃ字型リング１２１、パッキング１２２と共に台座部１１と結合し、ラチェット部１２は台座部１１の外側に嵌合し、且つラチェット部１２は台座部１１と相対して回転する。
【００２７】
外蓋１３はＣ字型リング１３１と共に可動ヘッドを封鎖し、台座部１１内に設置した各部品を定位する。
【００２８】
この制御装置は、制御桿２１、駆動塊２２と係止ユニット２３を含む。
【００２９】
制御桿２１の最上端は大半径の押圧面２１１とし、且つその押圧面２１１にはやや下に向かって伸びた停止縁２１１１が成形され、制御桿２１の桿体直径連続線に相対する二点には二つの連動体２１２が嵌合固定される。この制御桿２１末端は一段式の凹槽の駆動区２１３が形成され、その制御桿２１はＣ字型リング２１４と共に台座部１１のメインスペース１１１に設置し、制御桿２１は更に弾性部品２１５を設置する。その弾性部品２１５がＣ字型リング２１４及び押圧面２１１の間を押さえ、ラチェット部１２と停止縁２１１で制御桿２１が露出しないように遮蔽し、制御桿２１の駆動区２１３は穿設槽１１７とヘッド端１１５まで伸びて連動する。
【００３０】
この駆動塊２２は中空の短い円柱形で、制御桿２１に嵌合する。この駆動塊２２外側には嵌入口２２１が設置されて係止ユニット２３を連動して制御し、駆動塊２の内側には対称の傾斜円弧槽２２２が二つ環状設置され、その傾斜円弧槽２２は駆動塊２２上端から駆動塊２２内壁に沿って１８０度傾斜しながら刻んだ後、駆動塊２２下端まで達し、二つの傾斜円弧槽２２２の前後段にはそれぞれ直槽２２３が貫設されて連通し(そのうち傾斜円弧槽２２２と直槽２２３の詳細状態は第８図から第11図参照)、その直槽２２３内にはそれぞれ逆止め塊２２４が設置される。その逆止め塊２２４は駆動塊２２外径に掛合した弾性片２２５で固定し、その逆止め塊２２４最上端は傾斜円弧槽２２２の軌跡径と共に側面向きに傾斜した第一斜面２２４１を形成し、逆止め塊２２４底端は直槽２２３の軌跡径と共に上下に傾斜した第二斜面２２４２を形成する。この傾斜円弧槽２２２及び直槽２２３は制御桿２１の連動体２１２を駆動させて回転させる。
【００３１】
係止ユニット２３は対称の二つの係止歯２３１、２３２を含み、その上には枢設軸２３３を設置して台座部１１の枢設槽１１４に枢設し、係止歯２３１、２３２を台座部１１のエンドスペース１１２に定位させて枢設回転する結合状態を形成する。この係止歯２３１、２３２外端には歯区２３４が形成され、その歯区２３４はラチェット部１２と嵌合して噛み合い、二つの係止歯２３１、２３２にはそれぞれ弾性部品２３５で押止し、任意の一係止歯２３１、２３２が駆動塊２２の嵌入口２２１に対応した時、ラチェット部１２と噛み合わさって移動する。
【００３２】
本考案を組み立てる時、係止ユニット２３の係止歯２３１、２３２を枢設軸２３３と枢設槽１１４を合わせて、台座部１１の二つのエンドスペース１１２上に設置し、弾性部品２３５を台座部１１と係止歯２３１、２３２の間に設置し、係止歯２３１、２３２は弾性部品２３５の押止を受ける。逆止め塊２２４を駆動塊２の直槽２２３に入れ、弾性片２２５で逆止め塊２２４を定位する。続いて駆動塊２２を台座部１１のメインスペース１１１に入れ、球体１１３を使って台座部１１が相対して回転できる状態にする。Ｃ字型リング２１４を台座部１１のメインスペース１１１外端に嵌入し、更に弾性部品２１５の制御桿２１をＣ字型リング２１４、駆動塊２２、穿設槽１１７に差し入れ、連動体２１２を傾斜円弧槽２２２内に嵌入し、駆動区２１３と定位体１１６を連動結合する。台座部１１をＣ字型リングとラチェット部１２に定位し、外蓋１３をＣ字型リング１３１と共に可動ヘッドに固定し、組立が完成する。組立完成後の制御装置は、制御桿２１の押圧面２１１が露出する。押圧面２１１を押すと、第３図に示すとおり、連動体２１２は制御桿２１と共に上下に位置移動し、駆動塊２２の傾斜円弧槽２２２が連動体２１２の動きによって回転する。このように駆動塊２の嵌入口２２１の位置、つまり嵌入口２２１に対応する係止歯２３１を切り換えた時、係止歯２３１は弾性部品２３５の押止を受け、ラチェット部１２と噛み合い、可動ヘッドを時計と逆回りの方向でネジ部品を回転させ、スムーズに時計回りで復位する。反対に制御桿２１を押圧して駆動塊２２を嵌入口２２１に対応する係止歯２３２まで回転させると、係止歯２３２は弾性部品２３５の押止によってラチェット部と噛み合い、可動ヘッドは時計回りの方向へネジ部品を回転させ、すぐに時計と逆回りの方向へ回転復位させる。更に制御桿２１を押した時、駆動区２３１の深い位置でヘッド端１１５の定位体１１６と接触し、定位体１１６を内縮させ、ヘッド端１１５に設置した工具を抜きやすくする。
【００３３】
本考案を使用する場合、第４図から第８図に示す。駆動塊２２は第４図に示すとおり、嵌入口２２１と係止歯２３１が対応すると、係止歯２３１は弾性部品２１５の押圧を受けて偏移動し、ラチェット部１２と噛み合う。その時、可動ヘッドが時計と逆回りに回転した時、係止歯２３１の後端と台座部１１が押し合って退位せず、可動ヘッドがネジ部品を回転させる。反対にもしも可動ヘッドが時計回りに回転した時、係止歯２３１は弾性部品２３５の方向に退位して、可動ヘッドが時計回りに復位する。
【００３４】
もしも、使用者が可動ヘッドの復位方向を変更したい場合は、制御桿２１を押し、制御桿２１上の連動体２１２を制御桿２１に従って垂直下方向に移動させる。その位置移動中の駆動塊２２の動作は、第５図から第９図に示すとおりである。制御桿２１の連動体２１２は駆動塊２２の傾斜円弧槽２２２と直槽２２３の交差箇所に嵌入するので、駆動塊２２が逆止め塊２２４の第一斜面２２４１の止めを受けただけで、傾斜円弧槽２２２に沿って下へ落ち、また連動体２１２本体は制御桿２１上に固定されて回転できないため、駆動塊２２は傾斜円弧槽２２２で受けた連動体２１２の動きで回転し、連動体２１２が最下方の傾斜円弧槽２２２と直槽２２３の交錯箇所に達した時、駆動塊２２は傾斜円弧槽２２２によって連動体２１２を１８０度回転する。そのうち第７図は駆動塊２２を示し、第５図で９０度回転し、第９図の駆動塊２２は、第５図の駆動塊と比較して１８０度回転する。このように駆動塊２２の嵌入口２２１は、第４図に示す位置から第８図に示す反対位置に回転して別の係止歯２３２と対応し、このようにして係止歯２３２は弾性部品２１５の押止を受けて移動し、ラチェット部１２と噛み合う。可動ヘッドが時計回り方向に回転した時は係止歯２３２後端と台座部が押しあって退位せず、可動ヘッドはネジ部品を回転させる。反対に可動ヘッドが時計と逆回りに回転した場合、係止歯２３２は弾性部品２３５の方向へ退位し、可動ヘッドを時計と逆回り方向へ復位させる。
【００３５】
更に使用者が制御桿を離した時、弾性部品２１５が制御桿２１を元の位置に押し出し、連動体２１２は制御桿に従って上に移動する。この時、連動体２１２は逆止め塊２２４の第二斜面２４２の止めを受け、直槽２２３に沿うだけで逆止め塊２２４を押し出して上に移動させ、連動体２１２を制御桿２１が押圧される前の位置に戻し、且つ駆動塊２の方向へ回転させない。
【００３６】
本考案は、制御装置の制御桿２１によって、簡単な押圧方式によって可動ヘッドの復位方向を制御し、本考案に於いては制御桿２１の押圧を通してヘッド端１１５の定位体１１６の固定、離脱効果を達成し、このようにして操作上、便利で良好な構造を実施する。
【００３７】
（第二実施例）
第１０図から第１３図に示すのは、本考案の快速切換の工具構造第二実施例であり、そのうち主要部品は第一実施例と同じであるため、ここでは部品の説明を省く。
【００３８】
本考案の制御装置は、第一実施例のラチェットスリーブスパナに設置する他、一般のラチェット閉口スパナの可動ヘッドに実施してもよい。そのうち第一実施例に於ける台座部１１のヘッド端１１５をラチェット部１２の可動口３０１に代える。外蓋１３は直接可動ヘッドとしっかり固定する。第一実施例の駆動塊２２の嵌入口２２１を押止条３０２に代える。係止ユニット２３の係止歯２３１、２３２の枢設軸２３２と弾性部品２３５の設置位置を変更し、二つの係止歯２３１、２３２のうちどちらかひとつを押止条３０２で押さえた時、ラチェット１２とかみ合った状態で固定を保ち、押止条３０２を押した時、ラチェット１２と共に偏移動して外れる。
【００３９】
このようにして、制御桿２１を押した時、制御桿２１は連動体２１２によって動いた駆動塊２が回転し、第１１図から第１３図に示すとおり、駆動塊２２の押止条３０２を反対方向位置へ移動させて可動ヘッドの復位方向を変更する。
【図面の簡単な説明】
【００４０】
【図１】本考案の主要部分立体分解図である。
【図２】本考案の構造断面図である。
【図３】本考案の押圧状態断面指示図である。
【図４】本考案の切換過程指示図である。
【図５】本考案の切換過程指示図である。
【図６】本考案の切換過程指示図である。
【図７】本考案の切換過程指示図である。
【図８】本考案の切換過程指示図である。
【図９】第４図〜第８図までの各図に於いて駆動塊が連動体の動きを受けた指示図である。
【図１０】本考案の第二実施例局部分解図である。
【図１１】本考案の第二実施例の切換過程指示図である。
【図１２】本考案の第二実施例の切換過程指示図である。
【図１３】本考案の第二実施例の切換過程指示図である。
【符号の説明】
【００４１】
１１        台座部
１１１        メインスペース
１１２        エンドスペース
１１３        球体
１１４        枢設槽
１１５        ヘッド端
１１６        定位体
１１７        穿設槽
１２        ラチェット部
１２１        Ｃ字型リング
１２２        パッキング
１３        外蓋
１３１        Ｃ字型リング
２１        制御桿
２１１        押圧面
２１１１        停止縁
２１２        連動体
２１３        駆動区
２１４        Ｃ字型リング
２１５        弾性部品
２２        駆動塊
２２１        嵌入口
２２２        傾斜円弧槽
２２３        直槽
２２４        逆止め塊
２２４１        第一斜面
２２４２        第二斜面
２２５        弾性片
２３        係止ユニット
２３１        係止歯
２３２        係止歯
２３３        枢設軸
２３４        歯区
２３５        弾性部品
３０１        可動口
３０２        押止条
【図１】
0003129280.tif 000003
【図２】
0003129280.tif 000004
【図３】
0003129280.tif 000005
【図４】
0003129280.tif 000006
【図５】
0003129280.tif 000007
【図６】
0003129280.tif 000008
【図７】
0003129280.tif 000009
【図８】
0003129280.tif 000010
【図９】
0003129280.tif 000011
【図１０】
0003129280.tif 000012
【図１１】
0003129280.tif 000013
【図１２】
0003129280.tif 000014
【図１３】
0003129280.tif 000015